【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
画像処理装置であって、
入力画像データに第１の画像処理を施す第１の処理手段と、
前記第１の画像処理とは異なる第２の画像処理を行う第２の処理手段を有する他の画像処理装置との間の通信を行うことにより、前記入力画像データに対する前記第２の画像処理を前記第２の処理手段に行わせ、前記入力画像データに前記第２の画像処理を施した結果を前記他の画像処理装置から取得する通信手段と、
前記第１の処理手段による前記第１の画像処理の結果と、前記通信手段によって取得された前記第２の画像処理の結果とを合成する合成処理を行う合成手段と、
を有することを特徴とする画像処理装置。
【請求項２】
前記第１の処理手段と前記第２の処理手段は、画素値に応じた入力値が入力された場合に、当該入力値に対応する出力値を出力し、
前記第１の処理手段には、前記入力画像データの画素値に応じた入力値が入力され、
前記通信手段は、
前記入力画像データの前記画素値に応じた前記入力値を前記他の画像処理装置に出力することにより、当該入力値に対応する出力値を前記第２の処理手段に出力させ、
前記第２の処理手段から出力された前記出力値を前記他の画像処理装置から取得し、
前記合成処理は、前記入力画像データの前記画素値に応じた前記入力値に対応する前記第１の処理手段の出力値と、当該入力値に対応する前記第２の処理手段の出力値とを合成する処理である
ことを特徴とする請求項１に記載の画像処理装置。
【請求項３】
前記第１の処理手段は、画素値に所定の画像処理を施した画素値を構成する複数の部分値のいずれかである第１の部分値を出力し、
前記第２の処理手段は、前記複数の部分値のいずれかであり、且つ、前記第１の部分値とは異なる部分値である第２の部分値を出力する
ことを特徴とする請求項２に記載の画像処理装置。
【請求項４】
前記入力画像データの前記画素値に応じた前記入力値は、当該画素値の第１色成分値に
対応する第１入力値と、当該画素値の第２色成分値に対応する第２入力値とを含み、
前記第１の処理手段には、前記第１入力値が入力され、
前記通信手段は、前記第２入力値を前記他の画像処理装置に出力することにより、当該第２入力値に対応する出力値を前記第２の処理手段に出力させる
ことを特徴とする請求項３に記載の画像処理装置。
【請求項５】
前記入力画像データによって表された画像の領域から、第１の領域と、第２の領域とを検出する検出手段、をさらに有し、
前記第１の画像処理は、前記第１の領域と前記第２の領域の一方の領域に対応する画像処理であり、
前記第２の画像処理は、前記第１の領域と前記第２の領域の他方の領域に対応する画像処理であり、
前記通信手段は、
前記検出手段の検出結果に基づいて、前記他方の領域を少なくとも含む領域における前記入力画像データである出力画像データを前記他の画像処理装置に出力することにより、前記出力画像データに対する前記第２の画像処理を前記第２の処理手段に行わせ、
前記出力画像データに前記第２の画像処理を施した結果を前記他の画像処理装置から取得し、
前記合成手段は、前記合成処理により、前記一方の領域に対して前記第１の画像処理を施した画像であり、且つ、前記他方の領域に対して前記第２の画像処理を施した画像である合成画像を表す合成画像データを生成する
ことを特徴とする請求項１に記載の画像処理装置。
【請求項６】
前記出力画像データは、前記他方の領域における前記入力画像データである
ことを特徴とする請求項５に記載の画像処理装置。
【請求項７】
前記第１の領域は、前記第２の領域に対応した表示よりもダイナミックレンジが広い表示に対応した領域である
ことを特徴とする請求項５または６に記載の画像処理装置。
【請求項８】
前記第１の処理手段と前記第２の処理手段は、画素値に応じた入力値が入力された場合に、当該入力値に対応する出力値を出力し、
前記入力画像データの画素値に応じた１つ以上の入力値に第１入力値が含まれる場合に、前記第１入力値が前記第１の処理手段に入力され、
前記入力画像データの前記画素値に応じた前記１つ以上の入力値に第２入力値が含まれる場合に、前記通信手段は、
前記第２入力値を前記他の画像処理装置に出力することにより、前記第２入力値に対応する出力値を前記第２の処理手段に出力させ、
前記第２の処理手段から出力された前記出力値を前記他の画像処理装置から取得し、
前記合成処理は、前記入力画像データの前記画素値に応じた前記１つ以上の入力値に前記第１入力値と前記第２入力値が含まれる場合に、前記第１入力値に対応する前記第１の処理手段の出力値と、前記第２入力値に対応する前記第２の処理手段の出力値とを合成する処理である
ことを特徴とする請求項１に記載の画像処理装置。
【請求項９】
前記第１の処理手段と前記第２の処理手段は、画素値に応じた入力値が入力された場合に、当該入力値に対応する出力値を出力し、
前記入力値の取り得る範囲は、第１範囲と第２範囲を含む複数の部分範囲からなり、
前記入力画像データの画素値に応じた入力値が前記第１範囲に属す場合に、前記入力画像データの前記画素値に応じた前記入力値が前記第１の処理手段に入力され、
前記入力画像データの前記画素値に応じた前記入力値が前記第２範囲に属す場合に、前記通信手段は、
前記入力画像データの前記画素値に応じた前記入力値を前記他の画像処理装置に出力することにより、前記入力画像データの前記画素値に応じた前記入力値に対応する出力値を前記第２の処理手段に出力させ、
前記第２の処理手段から出力された前記出力値を前記他の画像処理装置から取得し、
前記合成手段は、前記合成処理により、各画素値が前記第１の処理手段の出力値に基づく画素値または前記第２の処理手段の出力値に基づく画素値である画像データを生成することを特徴とする請求項１に記載の画像処理装置。
【請求項１０】
前記第１範囲に属す入力値に対応する前記入力画像データの画素値が前記第１の処理手段の出力値に基づく画素値に変換され、且つ、前記第２範囲に属す入力値に対応する前記入力画像データの画素値が前記第２の処理手段の出力値に基づく画素値に変換されるように、前記合成手段への前記第１の処理手段の出力値の伝送を遅らせる遅延手段、をさらに有する
ことを特徴とする請求項９に記載の画像処理装置。
【請求項１１】
第１の画像処理装置と第２の画像処理装置を有する画像処理システムであって、
前記第１の画像処理装置は、
前記第１の画像処理装置に入力された画像データである入力画像データに第１の画像処理を施す第１の処理手段と、
前記第２の画像処理装置との間の通信を行う通信手段と、
前記第１の処理手段による前記第１の画像処理の結果と、前記通信手段による通信の結果とを合成する合成処理を行う合成手段と、
を有し、
前記第２の画像処理装置は、前記第１の画像処理とは異なる第２の画像処理を行う第２の処理手段、を有し、
前記通信手段は、前記第２の画像処理装置との間の通信を行うことにより、前記入力画像データに対する前記第２の画像処理を前記第２の処理手段に行わせ、前記入力画像データに前記第２の画像処理を施した結果を前記第２の画像処理装置から取得し、
前記合成処理は、前記入力画像データに対する前記第１の画像処理の結果と、前記通信手段によって取得された前記第２の画像処理の結果とを合成する処理である
ことを特徴とする画像処理システム。
【請求項１２】
第１の画像処理を行う第１の処理手段を有する画像処理装置の制御方法であって、
前記画像処理装置に入力された画像データである入力画像データに対する前記第１の画像処理を、前記第１の処理手段に行わせる処理ステップと、
前記第１の画像処理とは異なる第２の画像処理を行う第２の処理手段を有する他の画像処理装置との間の通信を行うことにより、前記入力画像データに対する前記第２の画像処理を前記第２の処理手段に行わせ、前記入力画像データに前記第２の画像処理を施した結果を前記他の画像処理装置から取得する通信ステップと、
前記処理ステップにおいて取得された前記第１の画像処理の結果と、前記通信ステップにおいて取得された前記第２の画像処理の結果とを合成する合成処理を行う合成ステップと、
を有することを特徴とする画像処理装置の制御方法。
【請求項１３】
請求項１２に記載の画像処理装置の制御方法の各ステップをコンピュータに実行させるためのプログラム。
【手続補正２】
【補正対象書類名】明細書
【補正対象項目名】００１２
【補正方法】変更
【補正の内容】
【００１２】
本発明の第２の態様は、
第１の画像処理装置と第２の画像処理装置を有する画像処理システムであって、
前記第１の画像処理装置は、
前記第１の画像処理装置に入力された画像データである入力画像データに第１の画像処理を施す第１の処理手段と、
前記第２の画像処理装置との間の通信を行う通信手段と、
前記第１の処理手段による前記第１の画像処理の結果と、前記通信手段による通信の結果とを合成する合成処理を行う合成手段と、
を有し、
前記第２の画像処理装置は、前記第１の画像処理とは異なる第２の画像処理を行う第２の処理手段、を有し、
前記通信手段は、前記第２の画像処理装置との間の通信を行うことにより、前記入力画像データに対する前記第２の画像処理を前記第２の処理手段に行わせ、前記入力画像データに前記第２の画像処理を施した結果を前記第２の画像処理装置から取得し、
前記合成処理は、前記入力画像データに対する前記第１の画像処理の結果と、前記通信手段によって取得された前記第２の画像処理の結果とを合成する処理である
ことを特徴とする画像処理システムである。